(57)【要約】【課題】放電ランプの素早い初期始動を可能とする点灯制御装置を提供する。【解決手段】放電ランプ７の点灯を制御する点灯制御装置１であって、供給される直流電流を交流電流に変換するインバーター部４と、インバーター部４と放電ランプ７との間に接続され、インピーダンスを変化させるインピーダンス変換部５と、を備え、インピーダンス変換部５は、放電ランプ７に対してシリーズ接続されているコイル５１と、コイル５１と放電ランプ７との間においてシャント接続されている第１コンデンサー５２と、コイル５１に対し放電ランプ７と反対側においてシャント接続されている第２コンデンサー５３と、を有していることを特徴とする。【選択図】図１
2011060681.tif 000002
【特許請求の範囲】
【請求項１】
放電ランプの点灯を制御する点灯制御装置であって、
供給される直流電流を交流電流に変換するインバーター部と、
前記インバーター部と前記放電ランプとの間に接続され、インピーダンスを変化させるインピーダンス変換部と、を備え、
前記インピーダンス変換部は、前記放電ランプに対してシリーズ接続されているコイルと、
前記コイルと前記放電ランプとの間においてシャント接続されている第１コンデンサーと、
前記コイルに対し前記放電ランプと反対側においてシャント接続されている第２コンデンサーと、を有していることを特徴とする点灯制御装置。
【請求項２】
前記コイルの前記第２コンデンサー側において、該第２コンデンサーと並列に設けられている１つ以上の第３コンデンサーと、該第３コンデンサーへの接続状態を制御する切り替え手段と、を有していることを特徴とする請求項１に記載の点灯制御装置。
【請求項３】
前記切り替え手段は、前記インバーター部に供給される入力電流の電流値、または前記インバーター部に印加される印加電圧の電圧値、の少なくともいずれか一方に基づいて、駆動が制御されることを特徴とする請求項２に記載の点灯制御装置。
【請求項４】
前記切り替え手段は、トランジスターであることを特徴とする請求項３に記載の点灯制御装置。
【請求項５】
前記交流電流の周波数が、１００ｋＨｚ以上３０ＭＨｚ以下の範囲であることを特徴とする請求項１から４のいずれか１項に記載の点灯制御装置。
【請求項６】
請求項１から５のいずれか１項に記載の点灯制御装置を備えることを特徴とする光源装置。
【請求項７】
請求項６に記載の光源装置を備えることを特徴とする投写型表示装置。
【発明の詳細な説明】
【技術分野】
【０００１】
本発明は、点灯制御装置、光源装置、投写型表示装置に関するものである。
【背景技術】
【０００２】
従来、プロジェクターは、会議でのプレゼンテーション用や家庭におけるホームシアター用などの映像投写装置として各方面に利用されている。このようなプロジェクターに使用される光源装置としては、例えば、ハロゲンランプ、メタルハライドランプ、及び高圧水銀ランプなどの電極を有する放電ランプが主に用いられている。
【０００３】
放電ランプは、点灯開始時に、放電ランプを構成する放電管内の電極間に、高電圧を印加して絶縁破壊を行う。通常このような場合、放電ランプへの高電圧の印加は、イグナイター回路から高電圧の始動パルスを供給することにより行う（例えば、特許文献１から３参照）。
【０００４】
ところで、イグナイター回路は、昇圧用のトランスを有する構成とすることが多いが、必要とする始動電圧を印加するため、トランスが大型化し、結果、放電ランプの点灯状態を制御する点灯制御装置が大型化してしまうという課題がある。
【０００５】
この課題に対し、特許文献４では、イグナイター回路が、コンデンサーとコイルによる共振回路を備える構成としており、共振回路の共振電圧を放電ランプに印加することにより、始動させる方法が提案されている。このような構成とすることにより、トランスを用いないイグナイター回路とすることができ、点灯制御装置の小型化を図ることが可能となっている。
【先行技術文献】
【特許文献】
【０００６】
【特許文献１】特開２００２−１５１２８６号公報
【特許文献２】特開２００６−４９１８１号公報
【特許文献３】特開２００８−１０８６７０号公報
【特許文献４】特開平８−１２４６８７号公報
【発明の概要】
【発明が解決しようとする課題】
【０００７】
特許文献４の構成では、放電ランプに印加するための共振電圧を形成するために、インバーター回路におけるスイッチングを利用している。通常、イグナイター回路を用いて高電圧を印加する場合、印加電圧に回路全体が耐える必要があることから、用いるトランジスターは高耐圧トランジスターである必要がある。そのため、共振電圧を形成するためのインバーター回路においても、高耐圧トランジスターを用いることが考えられる。
【０００８】
しかし、高耐圧のトランジスターは高速なスイッチング用途には不向きであるため、印加電圧に耐えうるインバーター回路とした場合に、高速動作させる事が困難である。そのため、良好に共振電圧を形成できず、素早い点灯ができないという問題が生じる。
【０００９】
本発明はこのような事情に鑑みてなされたものであって、放電ランプの素早い初期始動を可能とする点灯制御装置を提供することを目的とする。また、このような点灯制御装置を備えた光源装置を提供することをあわせて目的とする。さらには、このような光源装置を備えたプロジェクターを提供することをあわせて目的とする。
【課題を解決するための手段】
【００１０】
上記の課題を解決するため、本発明の点灯制御装置は、放電ランプの点灯を制御する点灯制御装置であって、供給される直流電流を交流電流に変換するインバーター部と、前記インバーター部と前記放電ランプとの間に接続され、インピーダンスを変化させるインピーダンス変換部と、を備え、前記インピーダンス変換部は、前記放電ランプに対してシリーズ接続されているコイルと、前記コイルと前記放電ランプとの間においてシャント接続されている第１コンデンサーと、前記コイルに対し前記放電ランプと反対側においてシャント接続されている第２コンデンサーと、を有していることを特徴とする。
【００１１】
従来の点灯制御装置では、放電管にイグナイターパルスなどを供給してグロー放電を開始させた後、アーク放電に移行させるために、電力の供給状態を工夫する必要があった。この際、電力を過剰に与えすぎるとランプの配線に過大な電流が流れて配線が焼き切れる、または配線基板が焼けるなどの不具合があり、少ない場合はアーク放電以降時に立ち消えるおそれがある。そこで従来は、回路制御や供給電力制御を行うことによって適切な電力供給を実現していた。
【００１２】
対して、本発明の構成によれば、コイルと第１コンデンサーと第２コンデンサーとにより、始動時の（点灯していない）放電ランプからの反射が比較的少なくなるようにインピーダンスを設定しておくことができ、放電管内での絶縁破壊時には放電ランプ内に良好に変位電流が流れる。これにより、放電ランプにインバーター部より有効電力が供給されてグロー放電が生じ、アーク放電まで自発的に移行させることができる。
【００１３】
例えば、超高圧水銀ランプの場合、高周波電流を供給すると、放電ランプが有する放電管の内部では、放電管内に封入されているアルゴンにより放電電極間でグロー放電を生じる。次いで、放電管内に封入された液状の水銀が、グロー放電で加熱された放電電極が発する熱によって放電管内に蒸発・気化すると共に、気化した水銀がグロー放電のα作用により電離（正イオン化）されて、放電電極に対して激しいγ効果（スパッタリング）を起こし、放電電極の加熱と電子の放出を増大させる。
【００１４】
この増殖作用が進んで管内のプラズマが６０００Ｋ以上、管内の圧力は１００気圧以上に達すると、放電電極からは熱電子が供給されてプラズマが維持される（アーク放電）ようになる。すなわち、高周波電流を供給することによって、放電管内ではグロー放電からアーク放電に自発的に移行することとなる。
【００１５】
したがって、従来の点灯制御装置のように回路制御による供給電力の調整が不要となり、放電ランプの初期始動を容易とした点灯制御装置を提供することができる。また、トランスを用いない構成としているため、装置構成を簡略化し小型化することができ、更に、回路に高電圧を印加することもないため、使用するトランジスターの耐圧を高める必要もない。したがって、小型で信頼性の高い点灯制御装置を提供することができる。
【００１６】
本発明においては、前記コイルの前記第２コンデンサー側において、該第２コンデンサーと並列に設けられている１つ以上の第３コンデンサーと、該第３コンデンサーへの接続状態を制御する切り替え手段と、を有していることが望ましい。
放電ランプの点灯状態がアーク放電に移行しても、放電ランプのインピーダンスと点灯制御装置のインピーダンスとが整合していなければ、投入する電力（電流）の一部は放電ランプで消費されず反射されるため、効率の良い点灯を行うことができない。しかし、本発明の構成によれば、第２コンデンサーと並列に第３コンデンサーが設けられており、第３コンデンサーの接続状態を切り替え手段により制御することにより、コイルに対して放電ランプとは反対側の容量を変化させることができる。
【００１７】
すなわち、始動時（放電管における絶縁破壊時）には、第１段階の容量として第２コンデンサーと第３コンデンサーとの合成容量を用い、放電ランプがアーク放電に移行した後に、第３コンデンサーとの接続を切ることにより、第２段階の容量として第２コンデンサーのみを用いることにより、容量を変化させ、始動時および点灯を維持する状態にそれぞれ適した容量を用いることができる。したがって、素早い点灯と効率良く高輝度な発光とを両立する点灯制御装置とすることができる。
【００１８】
本発明においては、前記切り替え手段は、前記インバーター部に供給される入力電流の電流値、または前記インバーター部に印加される印加電圧の電圧値、の少なくともいずれか一方に基づいて、駆動が制御されることが望ましい。
【００１９】
グロー放電状態とアーク放電状態とでは、電力一定のもと回路を流れる電流量および印加される電圧量が異なるため、電流値または電圧値の変化を検知することにより、放電管内の状態がアーク放電に移行したかどうかが分かる。したがって、電流値または電圧値に基づいてインピーダンス変換部での切り替え手段の駆動を制御することにより、インピーダンス変換部インバーター部と、アーク放電に移行した放電ランプと、のインピーダンス整合を適切に行うことが可能となる。
【００２０】
本発明においては、前記切り替え手段は、トランジスターであることが望ましい。
この構成によれば、検知した電流値や電圧値をトランジスターの駆動を制御する入力信号に変換して用いることで、アーク放電に移行した放電ランプと、インピーダンス変換部と、のインピーダンス整合をタイミング良く行うことが可能となり、アーク放電移行後の放電ランプに適切な点灯を行わせることが容易となる。
【００２１】
本発明においては、前記交流電流の周波数が、１００ｋＨｚ以上３０ＭＨｚ以下の範囲であることが望ましい。
この構成によれば、従来のような過大な電圧を使用することがないので、高電圧により回路を破損すること無くグロー放電を生じさせ、アーク放電に移行させることができるため、良好な点灯制御を行うことができる。
【００２２】
本発明の光源装置は、放電ランプと上述の点灯制御装置とを備えることを特徴とする。
この構成によれば、素早い点灯を実現する光源装置を提供することができる。また、放電ランプのアーク放電に適したインピーダンスに整合させて電流を供給することができるため、ランプ効率が高く高輝度な点灯を実現する光源装置を提供することができる。
【００２３】
本発明の投写型表示装置は、上述の光源装置を備えることを特徴とする。
この構成によれば、素早い点灯と高輝度の画像形成とが可能な投写型表示装置を提供することができる。
【図面の簡単な説明】
【００２４】
【図１】本発明の実施形態に係る点灯制御装置および光源装置の構成図である。
【図２】放電ランプ点灯時における電流量と電圧量との変化を示す説明図である。
【図３】本発明に係る投写型表示装置の概略構成図である。
【発明を実施するための形態】
【００２５】
以下、図１を参照しながら、本発明の実施形態に係る点灯制御装置および点灯制御装置を備える光源装置について説明する。なお、以下の全ての図面においては、図面を見やすくするため、各構成要素の寸法や比率などは適宜異ならせてある。
【００２６】
図１は、本実施形態に係る点灯制御装置１、および点灯制御装置１を備える光源装置１０の構成図である。点灯制御装置１は、電源８から供給される電力を放電ランプ７の電極に供給し、放電ランプ７の点灯を制御するものである。
【００２７】
点灯制御装置１は、電源８から供給される電圧を降下させる電力制御部（降圧回路）２と、直流電流を交流電流に変換するインバーター部４と、インバーター部４の出力側に接続されるインピーダンス変換部５と、これらを制御する制御部６と、を有している。また、電力制御部２とインバーター部４との間には、３つの抵抗３１〜３３が配置されている。
【００２８】
電力制御部２は、降圧型のチョッパー回路であり、直列接続されるスイッチ素子２１、コイル２２、これらの素子から分岐して接続されるダイオード２３、コンデンサー２４を備えている。電力制御部２は、スイッチング素子２１がＯＮ／ＯＦＦされることによりデューティー比が制御され、電源８から略３００Ｖ〜４００Ｖで入力する入力電圧を所望の電圧に降下させる。
【００２９】
インバーター部４は、直流電流を交流電流に変換する機能を有しており、トランジスター４１〜４４を備えたブリッジ回路として構成されている。このブリッジ回路には、電力制御部２を介して整流された直流電流が入力され、トランジスター４１，４２とトランジスター４３，４４とのＯＮ／ＯＦＦを交互に切り替えることで、トランジスター４１，４２を含む経路と、トランジスター４３，４４を含む経路とに交互に電流が流れ、これにより、接続されたインピーダンス変換部５に交流電流が供給されるようになる。
【００３０】
インピーダンス変換部５は、シリーズ接続されたコイル５１と、コイル５１に対して放電ランプ７側においてシャント接続された第１コンデンサー５２と、コイル５１に対して放電ランプ７とは反対側においてシャント接続された第２コンデンサー５３と、第２コンデンサー５３と並列接続された第３コンデンサー５４およびトランジスター（切り替え手段）５５と、を有している。
【００３１】
本実施形態のインピーダンス変換部５では、放電ランプ７の始動時には、点灯していない放電ランプ７からの反射が比較的少なくなるようにインピーダンスを設定し、放電ランプ７が点灯すると、放電ランプ７が最も光る状態に整合されたインピーダンスを設定する。これにより点灯前の放電ランプ７に有効電力を供給することができる。
【００３２】
制御部６は、例えばマイクロプロセッサー等から構成され、電力制御部２、インバーター部４、インピーダンス変換部５にそれぞれ必要な駆動信号を供給する。制御部６は、これらのＯＮ／ＯＦＦ状態を制御することにより、点灯制御装置１の駆動を制御し、放電ランプ７の点灯を制御する。
【００３３】
また、制御部６は抵抗３１と抵抗３２との間（符号Ａ）における電圧値を検知し、抵抗３３とインバーター部４との間（符号Ｂ）における電流値を検知する。これら検知した値に基づいてインピーダンス変換部５を制御する。詳しくは後述する。
【００３４】
放電ランプ７は、例えば高圧水銀灯、高圧ナトリウム灯やメタルハライド灯などの高圧放電灯であり、放電により光を射出する放電管７１と、放電管７１から射出される光を反射する反射鏡７２とを組み合わせた型の光源である。放電ランプ７は、放電管７１が反射鏡７２の中央部に耐熱セメントを介して固着されており、不図示の放電管７１の電極はインピーダンス変換部５の出力側に接続されている。
本実施形態の点灯制御装置１および光源装置１０は、以上のような構成となっている。
【００３５】
次に、上述した点灯制御装置１の動作を説明する。ここでは、まず、超高圧水銀ランプの通常の始動プロセスを説明した後に、本発明の点灯制御装置の動作について説明する。以下の説明においては、図１で示した符号を適宜使用する。
【００３６】
通常、超高圧水銀ランプを点灯させる場合には、まず、ランプを構成する放電管内の放電電極の間に、絶縁破壊を起こさせる電圧を供給する。絶縁破壊が生じると、放電電極間において、放電管内に封入されているアルゴンガス等によりグロー放電が開始される。
【００３７】
次いで、グロー放電が開始された放電管に対し更に電力を供給すると、グロー放電による加熱、及び通電することによる放電電極の発熱により、電極に付着している水銀が蒸発する。すると、次第に放電管内が水銀蒸気で満たされると共に水銀の電離も促進して、放電管内部での放電状態が、グロー放電からアーク放電に移行し、通常の点灯状態となる。この移行プロセスは放電ランプ内での絶縁破壊可能な電力がインバーター部より出力されていれば、自発的（自動的）に進む。
【００３８】
すなわち、電極間に高電圧を印加することにより通電させてグロー放電を起こし、更に供給電力を制御することにより電流量を増やし、電極での発熱を促進してアーク放電に移行させる。通常は、このような始動プロセスを介して超高圧水銀ランプ（放電ランプ）を点灯させる。
【００３９】
対して、本発明の点灯制御装置１および光源装置１０では、次の様な始動プロセスを介して放電ランプを点灯させる。
【００４０】
点灯制御装置１を用いた放電ランプ７の始動時には、まず、電力制御部２において、電源８から印加される電位をチョッパー処理により降下させて降圧電位を生成し、電流を低下させてインバーター部４に供給する。
【００４１】
次いで、インバーター部４では、制御部６からの駆動制御により、所定の周波数でトランジスター４１，４２とトランジスター４３，４４とが１８０度の位相差を有して交互にＯＮ／ＯＦＦ制御される。これにより、供給された直流電流が交流電流に変換される。
【００４２】
このような高周波電流（電力）を放電ランプ７に投入すると、絶縁状態である電極間において変位電流が生じる。すると、変位電流による電極からの電荷供給によって、電極間にグロー放電が生じる。
【００４３】
このとき制御部６は、交流電流の周波数が１００ｋＨｚ以上３０ＭＨｚ以下の範囲となるように、インバーター部４の駆動制御を行う。通常用いられるインバーター部４のトランジスターは、安価で入手が容易な汎用のパワートランジスターを用いることが多いため、周波数が３０ＭＨｚを超えるような高速駆動は困難である。
【００４４】
また、本発明に係る点灯装置に用いることが可能な通常の放電ランプは、良好に発光部における絶縁破壊を起こさせるためには、少なくとも０．０１ｍＡ程度以上の変位電流量が必要と考えられる。すなわち、電流量は、Ｉ＝ｊωＣＶで表される式に基づいて、周波数に比例することが知られているところ、通常の放電ランプは、電極間のキャパシタンスＣが数百ｆＦ程度である。そのため、放電ランプ７に印加する電圧にもよるが、通常用いる電源の電位（１００Ｖ以下）を想定すると、周波数は１００ｋＨｚ以上であることが好ましい。
【００４５】
従って、周波数を１００ｋＨｚ以上３０ＭＨｚ以下の範囲とすることにより、良好な点灯が可能となる。
【００４６】
また、インピーダンス変換部５は、コイル５１と第１コンデンサー５２と第２コンデンサー５３と第３コンデンサー５４と、を合わせたインピーダンスが、放電ランプ７のグロー放電開始前に放電ランプ７に有効電力を供給できるインピーダンスに設定しておく。詳しくは、インピーダンス変換部５と、点灯していないランプと、を組み合わせた回路において、高周波電流を投入する際に、比較的反射が少ないインピーダンスに設定しておく。このような条件に予め設定しておくことにより、投入電力の反射を抑制し、放電ランプ７にグロー放電を生じさせ、更に自発的にアーク放電に移行させることができる。
【００４７】
なお、インピーダンス変換部５のインピーダンスについては、方向性結合器等をインバーター部４とインピーダンス変換部５の間に挿入して、事前に反射の状況について測定しておき、測定値に基づいて、反射量が低下するようにインピーダンス変換部５の各素子の定数値を決めておくことにより、上述の「比較的反射が少ないインピーダンス」に設定しておくことができる。点灯制御装置１の実機の動作においては、該方向性結合器を外して動作させる。
【００４８】
このプロセスにおいては、放電ランプ７での反射電力は徐々に低下していき、電気エネルギーが放電管内に入るようになる。すると、封入されている水銀のガス化が更に促進され、放電管内のプラズマ密度と温度が上昇する。その結果、電極からはプラズマの温度により電子（熱電子）が放出されるようになり、いわゆるアーク放電状態に移行することとなる。
【００４９】
アーク放電移行後には、トランジスター５５を非導通状態として接続を切り、インピーダンス変換部５の入力側の容量を第２コンデンサー５３のみの容量とする。このとき、インピーダンス変換部５は、コイル５１と第２コンデンサー５３とを合わせたインピーダンスが、放電ランプ７とインピーダンス整合する設定にしておく。このような条件に設定しておくことにより、放電ランプ７により効率良く電力を供給することができ、アーク放電状態の放電ランプ７を、より高輝度で発光させることができる。
【００５０】
この時の反射の状況に関しても、上記した方法を利用して測定することが可能である。また、実際に放電ランプの輝度が最大になるようにインピーダンス変換部５の素子定数値を決めておき、実機ではその定数値になるように第３のコンデンサーの切り替え操作を行ってもよい。
【００５１】
放電状態がアーク放電に移行したかどうかは、例えば、抵抗３１〜３３を含む回路において、符号Ａで示す点での電圧値や符号Ｂで示す点での電流値を検知することにより判断することができる。
【００５２】
図２は、放電ランプ点灯時における電圧量と電流量との変化を示す説明図であり、図２（ａ）が電圧値、図２（ｂ）が電流値を示す。図に示すように、グロー放電からアーク放電に移行すると、電圧値は低下し電流値は増加する傾向がある。そのため、点Ａや点Ｂでの電圧値、電流値を測定し、各値の変化を検知することにより、制御部６では、放電状態がアーク放電に移行したかどうかを判断することができ、アーク放電移行後に速やかにトランジスター５５を非導通とする制御を行うことができる。
【００５３】
以上のような構成の点灯制御装置によれば、放電ランプ７の素早い初期始動を可能とした点灯制御装置１を提供することができる。また、トランスを用いずに、また使用するトランジスターの耐圧を高める必要もないため、装置構成を簡略化し小型化することができ、且つ信頼性の高い点灯制御装置１を提供することができる。
【００５４】
また、以上のような構成の光源装置１０によれば、放電ランプ７の素早い点灯を実現する光源装置１０を提供することができる。また、放電ランプ７のアーク放電に適したインピーダンスに整合させて電流を供給するため、ランプ効率が高く高輝度な点灯を実現する光源装置１０を提供することができる。
【００５５】
なお、本実施形態においては、インピーダンス変換部５が第３コンデンサー５４とトランジスター５５を有し、ランプ始動時とランプ点灯時とでインピーダンスを変更可能であることとしたが、第３コンデンサーが無い構成の点灯制御装置であっても、コイル５１、第１コンデンサー５２、第２コンデンサー５３のインピーダンスを放電ランプ７の絶縁破壊に適した値に設定しておくことで、放電ランプ７の素早い点灯を実現することは可能である。
【００５６】
また、本実施形態においては、インピーダンス変換部５が第３コンデンサー５４を１つ備える構成としたが、必要に応じて複数の第３コンデンサー５４を有する構成とすることもできる。その場合には、各コンデンサーについて接続状態を制御する切り替え手段を設けることとすることができる。
【００５７】
また、本実施形態においては、トランジスター５５を用いて第３コンデンサー５４の接続状態を制御したが、これに限らず、電磁リレーのような機械式のスイッチを用いることとしても良い。その際には、上述のように点Ａや点Ｂでの電圧値、電流値を測定して、検出結果に応じて、スイッチの切り替えを行うことにより、第３コンデンサー５４の接続状態の制御を行うこととすることができる。
【００５８】
また、本実施形態においては、点Ａや点Ｂでの電圧値、電流値を測定してトランジスター５５を制御することとしたが、予めグロー放電からアーク放電に移行するまでの所要時間を確認しておき、始動からの経過時間によってトランジスター５５の導通／非導通を制御する構成とすることもできる。このような構成の場合には、電圧値や電流値を測定してトランジスター５５を制御するという動作が不用となるため、制御部６によるトランジスター５５の制御が簡素化することができる。
【００５９】
［画像表示装置］
図３は、本発明に係る投写型表示装置の概略構成図である。
本実施形態のプロジェクター（投写型表示装置）１００は、赤色光、緑色光、青色光をそれぞれ射出する赤色光源装置１０Ｒ，緑色光源装置１０Ｇ、青色光源装置１０Ｂを備えており、これら光源装置が上記実施形態の光源装置１０である。
【００６０】
プロジェクター１００は、光源装置１０Ｒ，１０Ｇ，１０Ｂから射出された各色光をそれぞれ変調する透過型の液晶ライトバルブ１０４Ｒ，１０４Ｇ，１０４Ｂと、液晶ライトバルブ１０４Ｒ，１０４Ｇ，１０４Ｂから射出された光を合成して投写レンズ１０７に導くクロスダイクロイックプリズム１０６と、液晶ライトバルブ１０４Ｒ，１０４Ｇ，１０４Ｂによって形成された像を拡大してスクリーン１１０に投写する投写レンズ１０７と、を備えている。
【００６１】
さらに、プロジェクター１００は、光源装置１０Ｒ，１０Ｇ，１０Ｂから射出された光の照度分布を均一化させるための均一化光学系１０２Ｒ，１０２Ｇ，１０２Ｂを備えており、照度分布が均一化された光によって液晶ライトバルブ１０４Ｒ，１０４Ｇ，１０４Ｂを照明している。本実施形態では、均一化光学系１０２Ｒ，１０２Ｇ、１０２Ｂは、例えばホログラム１０２ａとフィールドレンズ１０２ｂによって構成されている。
【００６２】
各液晶ライトバルブ１０４Ｒ，１０４Ｇ，１０４Ｂによって変調された３つの色光は、クロスダイクロイックプリズム１０６に入射する。このプリズムは４つの直角プリズムを貼り合わせて形成され、その内面に赤色光を反射する誘電体多層膜と青色光を反射する誘電体多層膜とが十字状に配置されている。これらの誘電体多層膜によって３つの色光が合成され、カラー画像を表す光が形成される。そして、合成された光は投写光学系である投写レンズ１０７によりスクリーン１１０上に投写され、拡大された画像が表示される。
【００６３】
本実施形態のプロジェクター１００においては、赤色光源装置１０Ｒ，緑色光源装置１０Ｇ，青色光源装置１０Ｂとして上記実施形態の光源装置１０が用いられているので、信頼性が高く、且つ低消費電力で高輝度な画像表示が可能なプロジェクターを実現することができる。
【００６４】
なお、色光合成手段として、クロスダイクロイックプリズムを用いることとしたが、これに限るものではない。色光合成手段としては、例えば、ダイクロイックミラーをクロス配置とし色光を合成するもの、ダイクロイックミラーを平行に配置し色光を合成するものを用いることができる。
【００６５】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【符号の説明】
【００６６】
１…点灯制御装置、２…電力制御部、４…インバーター部、５…インピーダンス変換部、６…制御部、７…放電ランプ（ランプ）、１０…光源装置、５１…コイル、５２…第１コンデンサー、５３…第２コンデンサー、５４…第３コンデンサー、５５…トランジスター（切り替え手段）、１００…プロジェクター（投写型表示装置）
【図１】
2011060681.tif 000003
【図２】
2011060681.tif 000004
【図３】
2011060681.tif 000005